(57)【要約】      （修正有）【課題】足部ツボ刺激式按摩装置の提供。【解決手段】使用者が座った姿勢で使用されて足部の各ツボに対して按摩を行ない、靴形状を呈して、靴底板１０、凸柱２０、及び被覆帯を具えた按摩装置であり、硬質の靴底板の上方に各足裏のツボに対応する凸柱が設置され、該凸柱の長さが足裏形状の高低に合わされ、並びに靴底板側縁周囲に重複使用できる固定構造１１、３１が設けられ、足部全体を被覆できる被覆帯に可動微調整構造が設けられ、この構造の中央に凸柱が固定され、足の甲のツボ位置に対して按摩を行なえ、靴底板の底部中央が周囲より突出し、着用時に足部の前後左右の揺動により全体の足部のツボに対して按摩を行なえるよう形成されている。【選択図】図２
0003101357.tif 000002
【実用新案登録請求の範囲】
【請求項１】
靴底板、複数の凸柱、３本の被覆帯を具え、
該靴底板は硬質の材料で形成され、その上方に各足のツボに対応する凸柱が設けられ、並びに靴底板の側縁周囲に重複使用できる固定構造が設けられ、靴底板の底部中央に周囲より突出する突出部が設けられ、
該複数の凸柱は、該凸柱の長さが足裏部の形状の高低に対応するものとされる、
該３本の被覆帯は、全体の足部を被覆し並びに靴底板側縁の適当な位置に調整され固定され、該被覆帯は帯状構造とされ、その両端側辺に固定構造が設けられ、被覆帯の中央に可動式の微調整構造が設けられ、該微調整構造に凸柱が設置されて座った姿勢で使用される時、足の甲のツボに対して按摩を行なうことができるよう形成されたことを特徴とする、足部ツボ刺激式按摩装置。
【請求項２】
請求項１記載の足部ツボ刺激式按摩装置において、被覆帯の微調整構造が、中央に凸柱が固定された嵌め輪が被覆帯の中央外周に被覆されてなり、且つ前端の被覆帯の側面に二つの凸柱が固定され、中段の被覆帯に三つの嵌め輪が嵌合され、後段の被覆帯に二つの嵌め輪が嵌合されたことを特徴とする、足部ツボ刺激式按摩装置。
【請求項３】
請求項１記載の足部ツボ刺激式按摩装置において、被覆帯の微調整構造が、被覆帯の各ツボに対応する部分に三つの円孔が開設されてなり、この三つの円孔が共通線の形態とされ、左右の共通線或いは上下の共通線とされ、凸柱の下端にネジ孔が設けられ、ネジで該凸柱が被覆帯の選択された位置に固定されて微調整に用いられることを特徴とする、足部ツボ刺激式按摩装置。
【請求項４】
請求項１記載の足部ツボ刺激式按摩装置において、固定構造が粘着帯とされたことを特徴とする、足部ツボ刺激式按摩装置。
【請求項５】
請求項１記載の足部ツボ刺激式按摩装置において、固定構造がスナップボタンとされたことを特徴とする、足部ツボ刺激式按摩装置。
【考案の詳細な説明】
【技術分野】
【０００１】
本考案は一種の足部ツボ刺激式按摩装置に係り、特に、座った姿勢で使用され、足部の各ツボ（反射点）に対して按摩を行なう靴状の按摩装置であり、靴底板、凸柱及び被覆帯を具えた足部ツボ刺激式按摩装置に関する。
【背景技術】
【０００２】
足部のツボ（反射点）刺激療法は、足部の特定のツボを刺激することで身体の対応する経絡、器官及び部分に反射作用を発生させる治療方法であり、これらの特定のツボを刺激することで、血液、体液の循環を促し、身体機能を調整する。現代人は靴を着用しているため、裸足時代の足部の受けていた外部刺激の機会を失ったが、足部ツボ刺激療法によりこのような刺激を再現して人体機能の調節を行なうことで健康維持の目的を達成することができる。足部ツボ刺激療法は、抹消神経を刺激し、全身の血液循環を促進し、ストレスの緩和とリラックスに有効であり、並びにリンパ液循環促進の作用があることが認められており、身体を傷つけることがない体外治療方法とされ、それは人体に対していかなるマイナスの作用も発生しない。
【０００３】
図１は周知の座った姿勢で使用される按摩器であり、足裏底部のツボに対してのみ按摩を行なうことができ、且つ電力或いはその他の動力による駆動を必要とし、且つ足の甲のツボに対しては按摩を行なえない。周知の健康歩道は相当に効果的であるが、必要な設置場所と空間が非常に大きく、また、実用性と便利性を有しているものの、足の甲のツボに対する按摩を行なうことができない。ゆえに以上の構造はいずれも改良の必要がある。
【考案の開示】
【考案が解決しようとする課題】
【０００４】
本考案の主要な目的は、実用性と便利性を具え、足の甲のツボ刺激も行なえる足部ツボ刺激式按摩装置を提供することである。
【課題を解決するための手段】
【０００５】
請求項１の考案は、靴底板、複数の凸柱、３本の被覆帯を具え、
該靴底板は硬質の材料で形成され、その上方に各足のツボに対応する凸柱が設けられ、並びに靴底板の側縁周囲に重複使用できる固定構造が設けられ、靴底板の底部中央に周囲より突出する突出部が設けられ、
該複数の凸柱は、該凸柱の長さが足裏部の形状の高低に対応するものとされる、
該３本の被覆帯は、全体の足部を被覆し並びに靴底板側縁の適当な位置に調整され固定され、該被覆帯は帯状構造とされ、その両端側辺に固定構造が設けられ、被覆帯の中央に可動式の微調整構造が設けられ、該微調整構造に凸柱が設置されて座った姿勢で使用される時、足の甲のツボに対して按摩を行なうことができるよう形成されたことを特徴とする、足部ツボ刺激式按摩装置としている。
請求項２の考案は、請求項１記載の足部ツボ刺激式按摩装置において、被覆帯の微調整構造が、中央に凸柱が固定された嵌め輪が被覆帯の中央外周に被覆されてなり、且つ前端の被覆帯の側面に二つの凸柱が固定され、中段の被覆帯に三つの嵌め輪が嵌合され、後段の被覆帯に二つの嵌め輪が嵌合されたことを特徴とする、足部ツボ刺激式按摩装置としている。
請求項３の考案は、請求項１記載の足部ツボ刺激式按摩装置において、被覆帯の微調整構造が、被覆帯の各ツボに対応する部分に三つの円孔が開設されてなり、この三つの円孔が共通線の形態とされ、左右の共通線或いは上下の共通線とされ、凸柱の下端にネジ孔が設けられ、ネジで該凸柱が被覆帯の選択された位置に固定されて微調整に用いられることを特徴とする、足部ツボ刺激式按摩装置としている。
請求項４の考案は、請求項１記載の足部ツボ刺激式按摩装置において、固定構造が粘着帯とされたことを特徴とする、足部ツボ刺激式按摩装置としている。
請求項５の考案は、請求項１記載の足部ツボ刺激式按摩装置において、固定構造がスナップボタンとされたことを特徴とする、足部ツボ刺激式按摩装置としている。
【考案の効果】
【０００６】
本考案は、靴底板と被覆帯に設けられた凸柱を利用し全体の足部のツボに対して按摩を行なうことができ、座った姿勢で使用される時、血液、体液の循環を促し、身体機能を調整する機能を達成し、その実用性が増されており、且つこの構造は余分の動力による駆動が不要で、その便利性が増され、ゆえに本考案は実用性と進歩性を具えた考案であるといえる。
【考案を実施するための最良の形態】
【０００７】
本考案の足部ツボ刺激式按摩装置は、硬質の靴底板の上方に各足裏のツボに対応する凸柱が設置され、該凸柱の長さが足裏形状の高低に合わされ、並びに靴底板側縁周囲に重複使用できる固定構造が設けられ、足部全体を被覆できる被覆帯に可動微調整構造が設けられ、この構造の中央に凸柱が固定され、足の甲のツボ位置に対して按摩を行なえ、靴底板の底部中央が周囲より突出するものとされる。
【０００８】
以上の構造により、着用後に足裏のツボ位置が、それに対応するよう設置された靴底板の凸柱に支持され、足の甲のツボも被覆帯に対応設置された凸柱に圧接され、靴底板底部の中央の突出部により、足部の左右に揺動により全体の足部のツボに対して按摩を行なえ、必要な効果を達成でき、実用性と便利性を具えた足部ツボ刺激式按摩装置とされる。
【実施例１】
【０００９】
図２、３に示されるように、本考案の足部ツボ刺激式按摩装置は、靴底板１０、凸柱２０及び被覆帯３０を具え、硬質材料で形成された靴底板１０の上方に各足裏のツボに対応する凸柱２０が設置され、該凸柱２０の長さが足裏形状の高低にマッチするよう形成され、並びに靴底板１０側縁周囲に重複使用できる固定構造１１（粘着帯或いはスナップボタン）が設けられ、これにより三本の被覆帯３０が全体の足部を被覆し並びに適当な位置に調整され固定される。該被覆帯３０は帯状構造とされ、その両端側辺に固定構造３１（粘着帯或いはスナップボタン）が設けられ、被覆帯３０に可動式の微調整構造３２が設けられ、該微調整構造３２にも凸柱２０が設けられて足の甲にあるツボに対しても按摩を行なえる。靴底板１０の底部中央に周囲より突出した突出部１２が設けられ、それがシーソー板のような機能を有して前後左右に揺動可能とされている。図４に示されるように、被覆帯３０の微調整構造３２は、嵌め輪３２ａが被覆帯３０の中央外周に嵌合され、該嵌め輪３２ａの中央に凸柱２０が固定され、且つ前端に使用される被覆帯３０の側面に二つの凸柱２０が設けられ、中央に三つの嵌め輪３２ａが設けられ、中段の被覆帯３０に三つの嵌め輪３２ａが嵌合され、後段の被覆帯３０に二つの嵌め輪３２ａが嵌合され、且つ各被覆帯３０の両端側辺にそれぞれ固定構造３１（粘着帯或いはスナップボタン）が設けられ、嵌め輪３２ａは各個人の足の甲のツボ位置の違いにより適当な位置に調整可能である。図５は被覆帯３０に設けられる別の微調整構造３２の実施方式表示図である。それは被覆帯３０の各ツボに対応する位置に三つの円孔３２ｂが設けられ、この三つの円孔３２ｂが同一共通線上にある形態とされ、左右の共同線と或いは上下の共通線とされ得て、凸柱２０は可動式とされ、凸柱２０の下端にネジ孔２１が設けられ、ネジ２２により凸柱２０が被覆帯の円孔３２ｂ位置に選択的に組合せ可能とされ、これにより凸柱位置の微調整機能を達成する。図６は本考案の実施例の使用状態を示す。足部２は靴底板１０に固定され、足部２の前後左右の揺動により、全体の足部２のツボに対する按摩を行なうことができる。
【図面の簡単な説明】
【００１０】
【図１】周知の足裏按摩器の立体図である。
【図２】本考案の立体分解図である。
【図３】本考案の側面図である。
【図４】本考案の被覆帯の微調整構造表示図である。
【図５】本考案の被覆帯のもう一つの微調整構造表示図である。
【図６】本考案の使用状態表示図である。
【符号の説明】
【００１１】
１０  靴底板
１１、３１  固定構造
１２  突出部
２０  凸柱
２１  ネジ孔
２２  ネジ
３０ａ  嵌め輪
３２ｂ  円孔
２  足部
【図１】
0003101357.tif 000003
【図２】
0003101357.tif 000004
【図３】
0003101357.tif 000005
【図４】
0003101357.tif 000006
【図５】
0003101357.tif 000007
【図６】
0003101357.tif 000008